(57)【要約】      （修正有）【課題】最も困難とされる引き輪スプリング・ブロックとだるまの結束が、直視しなくても首のうしろで、片手で結束が可能となるスプリンブロックの結束治具を提供する。【解決手段】引き輪スプリングブロックとダルマを、装着者が疲れることなく簡単に結束させるため、治具を使うことで、手感でリングとダルマの穴を直視できない首の後ろで探っていた作業を簡素化し、片手でスライドするだけで、引き輪スプリングブロックとダルマを結束することが可能となる。【選択図】図８
0003173427.tif 000002
【実用新案登録請求の範囲】
【請求項１】
図４の本体図面の如く、引き輪スプリング・ブロック内にレール状の物を挿入し、スプリング・ブロックをスライドしてダルマと結束するもの。
【考案の詳細な説明】
【技術分野】
【０００１】
本考案は、人体の首にかける装飾用首飾り（ネックレス）の、引き輪・スプリングロック（止め金具）に関するものである。
【背景技術】
【０００２】
従来のネックレスは、ネックレス全体の円周長さが、装着者頭部の円周長さより大きいものを除き、ネックレスの一部が分離することで、頭部円周長さより短いものでも、首に装着することが可能となっている。この方法の大半は、首の後ろ（目視できない所）で、指先の手感を頼りに結束するのが常である。この結束の代表的な方法として、引き輪スプリングブロックとダルマ、と呼ばれる二つの部品（図１）を使用しているものが多く、現在でも使用され続けてる。最近では特許文献１（マグネット式）や特許文献２（ワンプッシュ式）など、結束作業が簡素化されたものも製品化されている。しかし、新たに新品を購入する際は最新機構の物の方が良いが、古いもの・思い出あるもの・先祖の形見など、できればそのまま手を加えずに使いたい物品もある。特に、引き輪スプリングブロックは、スプリングのフックを指で引いたまま（図２）、首の後ろへもっていき、ダルマの穴を探りながら合わせて結束する（図３）ものであり、時間がない時など、うまく入らないと気が滅入って、疲れを誘発したり、気分の悪化を招いたりする要因の一つでもある。更に、高齢化社会の現代において、目や指先が不自由なハンディキャップがある者にとっては何ともし難い物である。
【先行技術文献】
【特許文献】
【０００３】
【特許文献１】特開２００４−３０５６７６
【特許文献２】特開２０１０−１２５３１２
【考案の概要】
【考案が解決しようとする課題】
【０００４】
一般的にネックレスとは、装飾を目的としてデザイン開発されているため極力、外観を損なうことのないよう配慮しなければならない。既に特許文献１・２が装着されているネックレスは不具合が解消されているため問題はない。しかし、技術背景でも記載したように、引き輪スプリングブロックとダルマの場合は違う。引き輪スプリングブロックは原寸大では外径５ｍｍ程度と非常に小さく、その爪部を指で引き、スライドリングを解放した状態で首の後ろへ廻し、逆側からダルマをリングに接触させ、手簡でダルマの穴にリングが入った事を確認し、爪部を解放して結束する。この作業は老若男女問わず集中力を必要とする。特に高齢者になると目や手先に障害が現れるなど、高齢者特有の症状がある者には更に難易度の高い作業となる。
【課題を解決するための手段】
【０００５】
本考案は、引き輪スプリングブロックとダルマを、装着者が疲れることなく簡単に結束させるため、考案した図４の治具を使う。この治具を使うことで従来、手感でリングとダルマの穴を直視できない首の後ろで探っていた作業を簡素化し、首の後ろ側においても片手でスライドするだけで、引き輪スプリングブロックとダルマを結束することが可能となる。
【考案の効果】
【０００６】
本考案によれば、図５・６の作業をネックレス装着者の可視可能な位置で行うことが可能となり、最も困難とされる引き輪スプリング・ブロックとダルマの結束が、図９の如く直視しなくても首のうしろで、片手で結束が可能となる。この手法であれば従来の疲れや、精神面の苦痛を感じる事なく、引き輪スプリング・ブロックとダルマの結束が可能となり、課題が解決できる。
【図面の簡単な説明】
【０００７】
【図１】引き輪スプリング・ブロックとダルマの外観図である。
【図２】引き輪スプリング・ブロックとダルマを結束する際、爪を５の方向へずらすことで、スライドリングが矢印の方向へ移動し解放状態となる。
【図３】ダルマの穴をリングに通し、爪を離すと６の方向へ自動復帰し、スライドリングも閉じ、結束完了となる。
【図４】治具本体の図面である。
【図５】引き輪スプリング・ブロックを解放状態にし、治具本体へ矢印の方向から挿入する。
【図６】引き輪スプリング・ブロックを本体へ挿入後、爪から指を離すとスライドリングが復帰位置に戻ろうとするがレールが間にあるため、完全復帰できない状態が維持される。（断面図参考）
【図７】首の後ろへ廻した後、治具本体後方へダルマをセットする。
【図８】親指でダルマを固定しながら、引き輪スプリング・ブロックを人差し指と中指で治具本体をはさみながら矢印の方へ移動する。
【図９】引き輪スプリング・ブロックがレールの最後端まで来ると、レールが無くなっているため、スライドリングが復帰状態に戻る。この時、既にダルマの穴が待機しているため、復帰と同時にダルマの穴にスライドリングが貫通することになり、結束完了となる。
【考案を実施するための形態】
【０００８】
本考案は、引き輪スプリングブロックとダルマを、装着者が疲れることなく簡単に結束させるため、考案した図４の治具を使う。作業方法（使い方）は先ず、治具とネックレスの引き輪スプリングブロックを手に持ち、装着者の正面に置き（目視可能な位置）、治具の先端（図５）から、引き輪スプリングブロックの爪を引き、スライドリングを解放状態にして、少し矢印の方へずらして挿入する（図６）。この状態で爪から指を離しても、スライドリングは解放状態を維持している。次に、これを首の後ろへ持って行き、治具の後方へダルマをセットする（図７）。ダルマがずれないように指で押さえておく。次に、スプリングブロックをダルマの方へずらしてくる（図８）。レールが無くなったところにダルマの穴が待機している為、自ずとスライドリングはダルマの穴へ入る（図９）。これで結束が完了する。
【実施例】
【０００９】
図５・６・７・８・９の流れが実施された様子である。片手でスライドするだけで、引き輪スプリングブロックとダルマが結束していることが分かる。
【産業上の利用可能性】
【００１０】
背景技術でも説明したが、古いもの・思い出あるもの・先祖の形見など、年代物のネックレスは大半が、引き輪スプリング・ブロックとダルマ式を採用している。年代物であるが故に、これらの装飾品を身につける者には高齢者も少なくない。目や指先が不自由な高齢者にとっても、外出の際のオシャレは必需品である。これらのことから、特にハンディキャップのある者には非常に便利な補助具となると考えられる。高齢化社会の現代には必要不可欠であると考えられる。
【符号の説明】
【００１１】
1  引き輪スプリング・ブロック
２  スライドリング
３  爪
４  ダルマ
５  爪移動方向
６  爪自動復帰
７  治具本体
８  人差し指
９  親指
【図１】
0003173427.tif 000003
【図２】
0003173427.tif 000004
【図３】
0003173427.tif 000005
【図４】
0003173427.tif 000006
【図５】
0003173427.tif 000007
【図６】
0003173427.tif 000008
【図７】
0003173427.tif 000009
【図８】
0003173427.tif 000010
【図９】
0003173427.tif 000011
【手続補正書】
【提出日】平成23年9月15日(2011.9.15)
【手続補正１】
【補正対象書類名】実用新案登録請求の範囲
【補正対象項目名】全文
【補正方法】変更
【補正の内容】
【実用新案登録請求の範囲】
【請求項１】
引き輪スプリングブロック内側に溝の付いたレール状の物を挿入し爪によりスライドリングを開放しレールをスプリングブロック開口部とスライドリングで挟み込みスプリングブロックをスライドしてダルマとスプリングブロックを結束するスプリングブロックの結束用治具。
【手続補正３】
【補正対象書類名】明細書
【補正対象項目名】０００１
【補正方法】変更
【補正の内容】
【０００１】
本考案は人体の首にかける装飾用首飾り（ネックレス）の引き輪・スプリングブロック（止め金具）に関するものである。
【手続補正４】
【補正対象書類名】明細書
【補正対象項目名】０００２
【補正方法】変更
【補正の内容】
【０００２】
従来のネックレスは、ネックレス全体の円周長さが、装着者頭部の円周長さより大きいものを除き、ネックレスの一部が分離することで、頭部円周長さより短いものでも、首に装着することが可能となっている。この方法の大半は、首の後ろ（目視できない所）で、指先の手感を頼りに結束するのが常である。この結束の代表的な方法として、引き輪スプリングブロックとダルマ、と呼ばれる二つの部品（図１）を使用しているものが多く、現在でも使用され続けてる。最近では特許文献１（マグネット式）や特許文献２（ワンプッシュ式）など、結束作業が簡素化されたものも製品化されている。しかし、新たに新品を購入する際は最新機構の物の方が良いが、古いもの・思い出あるもの・先祖の形見など、できればそのまま手を加えずに使いたい物品もある。特に、引き輪スプリングブロックは、スプリングのフックを指で引いたまま（図２）、首の後ろへもっていき、ダルマの穴を探りながら合わせて結束する（図３）ものであり、時間がない時など、うまく入らないと気が滅入って、疲れを誘発したり、気分の悪化を招いたりする要因の一つでもある。更に、高齢化社会の現代において、目や指先が不自由なハンディキャップがある者にとっては何ともし難い物である。
【手続補正５】
【補正対象書類名】明細書
【補正対象項目名】０００４
【補正方法】変更
【補正の内容】
【０００４】
一般的にネックレスとは、装飾を目的としてデザイン開発されているため極力、外観を損なうことのないよう配慮しなければならない。既に特許文献１・２が装着されているネックレスは不具合が解消されているため問題はない。しかし、技術背景でも記載したように、引き輪スプリングブロックとダルマの場合は違う。引き輪スプリングブロックは原寸大では外径５ｍｍ程度と非常に小さく、その爪部を指で引き、スライドリングを解放した状態で首の後ろへ廻し、逆側からダルマをリングに接触させ、手簡でダルマの穴にリングが入った事を確認し、爪部を解放して結束する。この作業は老若男女問わず集中力を必要とする。特に高齢者になると目や手先に障害が現れるなど、高齢者特有の症状がある者には更に難易度の高い作業となる。
【手続補正６】
【補正対象書類名】明細書
【補正対象項目名】０００５
【補正方法】変更
【補正の内容】
【０００５】
本考案は、引き輪スプリングブロックとダルマを、装着者が疲れることなく簡単に結束させるため、考案した図４の治具を使う。この治具を使うことで従来、手感でリングとダルマの穴を直視できない首の後ろで探っていた作業を簡素化し、首の後ろ側においても片手でスライドするだけで、引き輪スプリングブロックとダルマを結束することが可能となる。
【手続補正７】
【補正対象書類名】明細書
【補正対象項目名】０００６
【補正方法】変更
【補正の内容】
【０００６】
本考案によれば、図５・６の作業をネックレス装着者の可視可能な位置で行うことが可能となり、最も困難とされる引き輪スプリングブロックとダルマの結束が、図９の如く直視しなくても首のうしろで、片手で結束が可能となる。この手法であれば従来の疲れや、精神面の苦痛を感じる事なく、引き輪スプリングブロックとダルマの結束が可能となり、課題が解決できる。
【手続補正８】
【補正対象書類名】明細書
【補正対象項目名】０００７
【補正方法】変更
【補正の内容】
【０００７】
・
【図１】引き輪スプリングブロックとダルマの外観図である。                 ・
【図２】引き輪スプリングブロックとダルマを結束する際、爪を５の方向へずらすことで、スライドリングが矢印の方向へ移動し解放状態となる。                 ・
【図５】引き輪スプリングブロックを解放状態にし、治具本体へ矢印の方向から挿入する。                 ・
【図６】引き輪スプリングブロックを本体へ挿入後、爪から指を離すとスライドリングが復帰位置に戻ろうとするがレールが間にあるため、完全復帰できない状態が維持される。（断面図参考）                 ・
【図８】親指でダルマを固定しながら、引き輪スプリングブロックを人差し指と中指で治具本体をはさみながら矢印の方へ移動する。                 ・
【図９】引き輪スプリングブロックがレールの最後端まで来ると、レールが無くなっているため、スライドリングが復帰状態に戻る。この時、既にダルマの穴が待機しているため、復帰と同時にダルマの穴にスライドリングが貫通することになり、結束完了となる。                  ・
【手続補正９】
【補正対象書類名】明細書
【補正対象項目名】０００８
【補正方法】変更
【補正の内容】
【０００８】
本考案は、引き輪スプリングブロックとダルマを、装着者が疲れることなく簡単に結束させるため、考案した図４の治具を使う。作業方法（使い方）は先ず、治具とネックレスの引き輪スプリングブロックを手に持ち、装着者の正面に置き（目視可能な位置）、治具の先端（図５）から、引き輪スプリングブロックの爪を引き、スライドリングを解放状態にして、少し矢印の方へずらして挿入する（図６）。この状態で爪から指を離しても、スライドリングは解放状態を維持している。次に、これを首の後ろへ持って行き、治具の後方へダルマをセットする（図７）。ダルマがずれないように指で押さえておく。次に、スプリングブロックをダルマの方へずらしてくる（図８）。レールが無くなったところにダルマの穴が待機している為、自ずとスライドリングはダルマの穴へ入る（図９）。これで結束が完了する。
【手続補正１０】
【補正対象書類名】明細書
【補正対象項目名】０００９
【補正方法】変更
【補正の内容】
【０００９】
・図５・６・７・８・９の流れが実施された様子である。片手でスライドするだけで、引き輪スプリングブロックとダルマが結束していることが分かる。
【手続補正１１】
【補正対象書類名】明細書
【補正対象項目名】００１０
【補正方法】変更
【補正の内容】
【００１０】
背景技術でも説明したが、古いもの・思い出あるもの・先祖の形見など、年代物のネックレスは大半が、引き輪スプリングブロックとダルマ式を採用している。年代物であるが故に、これらの装飾品を身につける者には高齢者も少なくない。目や指先が不自由な高齢者にとっても、外出の際のオシャレは必需品である。これらのことから、特にハンディキャップのある者には非常に便利な補助具となると考えられる。高齢化社会の現代には必要不可欠であると考えられる。
【手続補正１２】
【補正対象書類名】明細書
【補正対象項目名】００１１
【補正方法】変更
【補正の内容】
【００１１】
1  引き輪スプリングブロック
【手続補正書】
【提出日】平成23年10月30日(2011.10.30)
【手続補正１】
【補正対象書類名】実用新案登録請求の範囲
【補正対象項目名】全文
【補正方法】変更
【補正の内容】
【実用新案登録請求の範囲】
【請求項１】
引き輪スプリングブロックの内径側に溝が付いた棒状の物を挿入しスライドリングで溝をはさみ込み開放状態を維持でき、そのままレールに沿ってスプリングブロックをレール先端で待機しているダルマに向けて移動させスライドリングがダルマの穴まで来たところでレールが終わっており開放状態が解除されることによりスライドリングが閉じダルマの穴を通りスプリングブロックとダルマを容易に繋ぐことができるスプリングブロックの結束用治具。
【手続補正３】
【補正対象書類名】明細書
【補正対象項目名】０００１
【補正方法】変更
【補正の内容】
【０００１】
本考案は人体の首にかける装飾用首飾り（ネックレス）の引き輪スプリングブロック（止め金具）に関するものである。
【手続補正４】
【補正対象書類名】明細書
【補正対象項目名】０００２
【補正方法】変更
【補正の内容】
【０００２】
従来のネックレスは、ネックレス全体の円周長さが、装着者頭部の円周長さより大きいものを除き、ネックレスの一部が分離することで、頭部円周長さより短いものでも、首に装着することが可能となっている。この方法の大半は、首の後ろ（目視できない所）で、指先の手感を頼りに結束するのが常である。この結束の代表的な方法として、引き輪スプリングブロックとダルマ、と呼ばれる二つの部品（図１）を使用しているものが多く、現在でも使用され続けてる。最近では特許文献１（マグネット式）や特許文献２（ワンプッシュ式）など、結束作業が簡素化されたものも製品化されている。しかし、新たに新品を購入する際は最新機構の物の方が良いが、古いもの或いは思い出あるもの更に先祖の形見など、できればそのまま手を加えずに使いたい物品もある。特に、引き輪スプリングブロックは、スプリングのフックを指で引いたまま（図２）、首の後ろへもっていき、ダルマの穴を探りながら合わせて結束する（図３）ものであり、時間がない時など、うまく入らないと気が滅入って、疲れを誘発したり、気分の悪化を招いたりする要因の一つでもある。更に、高齢化社会の現代において、目や指先が不自由なハンディキャップがある者にとっては何ともし難い物である。
【手続補正５】
【補正対象書類名】明細書
【補正対象項目名】０００４
【補正方法】変更
【補正の内容】
【０００４】
一般的にネックレスとは、装飾を目的としてデザイン開発されているため極力、外観を損なうことのないよう配慮しなければならない。既に特許文献１と２が装着されているネックレスは不具合が解消されているため問題はない。しかし、技術背景でも記載したように、引き輪スプリングブロックとダルマの場合は違う。引き輪スプリングブロックは原寸大では外径５ｍｍ程度と非常に小さく、その爪部を指で引き、スライドリングを解放した状態で首の後ろへ廻し、逆側からダルマをリングに接触させ、手簡でダルマの穴にリングが入った事を確認し、爪部を解放して結束する。この作業は老若男女問わず集中力を必要とする。特に高齢者になると目や手先に障害が現れるなど、高齢者特有の症状がある者には更に難易度の高い作業となる。
【手続補正６】
【補正対象書類名】明細書
【補正対象項目名】０００５
【補正方法】変更
【補正の内容】
【０００５】
本考案は、引き輪スプリングブロックとダルマを、装着者が疲れることなく簡単に結束させるため、考案した図４の治具を使う。この治具を使うことで従来、手感でリングとダルマの穴を直視できない首の後ろで探っていた作業を簡素化し、首の後ろ側においても片手でスライドするだけで、引き輪スプリングブロックとダルマを結束することが可能となる。
【手続補正７】
【補正対象書類名】明細書
【補正対象項目名】０００６
【補正方法】変更
【補正の内容】
【０００６】
本考案によれば図５、図６の作業をネックレス装着者の可視可能な位置で行うことが可能となり、最も困難とされる引き輪スプリングブロックとダルマの結束が、図９の如く直視しなくても首のうしろで、片手で結束が可能となる。この手法であれば従来の疲れや、精神面の苦痛を感じる事なく、引き輪スプリングブロックとダルマの結束が可能となり、課題が解決できる。
【手続補正８】
【補正対象書類名】明細書
【補正対象項目名】０００７
【補正方法】変更
【補正の内容】
【０００７】
【図１】引き輪スプリングブロックとダルマの外観図である。
【図２】引き輪スプリングブロックとダルマを結束する際、爪を５の方向へずらすことで、スライドリングが矢印の方向へ移動し解放状態となる。
【図５】引き輪スプリングブロックを解放状態にし、治具本体へ矢印の方向から挿入する。
【図６】引き輪スプリングブロックを本体へ挿入後、爪から指を離すとスライドリングが復帰位置に戻ろうとするがレールが間にあるため、完全復帰できない状態が維持される。（断面図参考）
【図８】親指でダルマを固定しながら、引き輪スプリングブロックを人差し指と中指で治具本体をはさみながら矢印の方へ移動する。
【図９】引き輪スプリングブロックがレールの最後端まで来ると、レールが無くなっているため、スライドリングが復帰状態に戻る。この時、既にダルマの穴が待機しているため、復帰と同時にダルマの穴にスライドリングが貫通することになり、結束完了となる。
【手続補正９】
【補正対象書類名】明細書
【補正対象項目名】０００８
【補正方法】変更
【補正の内容】
【０００８】
本考案は、引き輪スプリングブロックとダルマを、装着者が疲れることなく簡単に結束させるため、考案した図４の治具を使う。作業方法（使い方）は先ず、治具とネックレスの引き輪スプリングブロックを手に持ち、装着者の正面に置き（目視可能な位置）、治具の先端（図５）から、引き輪スプリングブロックの爪を引き、スライドリングを解放状態にして、少し矢印の方へずらして挿入する（図６）。この状態で爪から指を離しても、スライドリングは解放状態を維持している。次に、これを首の後ろへ持って行き、治具の後方へダルマをセットする（図７）。ダルマがずれないように指で押さえておく。次に、スプリングブロックをダルマの方へずらしてくる（図８）。レールが無くなったところにダルマの穴が待機している為、自ずとスライドリングはダルマの穴へ入る（図９）。これで結束が完了する。
【手続補正１０】
【補正対象書類名】明細書
【補正対象項目名】０００９
【補正方法】変更
【補正の内容】
【０００９】
図５、図６、図７、図８、図９の流れが実施された様子である。片手でスライドするだけで、引き輪スプリングブロックとダルマが結束していることが分かる。
【手続補正１１】
【補正対象書類名】明細書
【補正対象項目名】００１０
【補正方法】変更
【補正の内容】
【００１０】
背景技術でも説明したが、古いもの、思い出あるもの或いは先祖の形見など、年代物のネックレスは大半が、引き輪スプリングブロックとダルマ式を採用している。年代物であるが故に、これらの装飾品を身につける者には高齢者も少なくない。目や指先が不自由な高齢者にとっても、外出の際のオシャレは必需品である。これらのことから、特にハンディキャップのある者には非常に便利な補助具となると考えられる。高齢化社会の現代には必要不可欠であると考えられる。
【手続補正１２】
【補正対象書類名】明細書
【補正対象項目名】００１１
【補正方法】変更
【補正の内容】
【００１１】
1  引き輪スプリングブロック
２  スライドリング
３  爪
４  ダルマ
５  爪移動方向
６  爪自動復帰
７  治具本体
８  人差し指
９  親指
【手続補正書】
【提出日】平成23年11月23日(2011.11.23)
【手続補正１】
【補正対象書類名】実用新案登録請求の範囲
【補正対象項目名】全文
【補正方法】変更
【補正の内容】
【実用新案登録請求の範囲】
【請求項１】
棒状で両側面に溝を有し、切断面形状がＨ型或いは瓢箪型をしており、その溝或いは括れにスプリングブロックのスライドリングを開放状態で挿入し、手を離しても開放状態が保持でき、その溝は棒の先端で待機するダルマの穴まで続いており、スプリングブロックをダルマの方向へスライドしダルマの穴まで来ると溝は無くなっている為、スライドリングが閉じられると同時にダルマの穴を貫通し、スプリングブロックとダルマを容易に結束できるスプリングブロックの結束治具。
【手続補正２】
【補正対象書類名】明細書
【補正対象項目名】０００７
【補正方法】変更
【補正の内容】
【０００７】
【図１】引き輪スプリングブロックとダルマの外観図である。
【図２】引き輪スプリングブロックとダルマを結束する際、爪を５の方向へずらすことで、スライドリングが矢印の方向へ移動し解放状態となる。
【図３】ダルマの穴をリングに通し、爪を離すと６の方向へ自動復帰し、スライドリングも閉じ、結束完了となる。
【図４】治具本体の図面である。
【図５】引き輪スプリングブロックを解放状態にし、治具本体へ矢印の方向から挿入する。
【図６】引き輪スプリングブロックを本体へ挿入後、爪から指を離すとスライドリングが復帰位置に戻ろうとするがレールが間にあるため、完全復帰できない状態が維持される。（断面図参考）
【図７】首の後ろへ廻した後、治具本体後方へダルマをセットする。
【図８】親指でダルマを固定しながら、引き輪スプリングブロックを人差し指と中指で治具本体をはさみながら矢印の方へ移動する。
【図９】引き輪スプリングブロックがレールの最後端まで来ると、レールが無くなっているため、スライドリングが復帰状態に戻る。この時、既にダルマの穴が待機しているため、復帰と同時にダルマの穴にスライドリングが貫通することになり、結束完了となる。